(57)【要約】【課題】遊技機収納スペース内に効率良く機能部品を配置し、さらにリサイクル性及びセキュリティ性を向上させながら、島設備に確実に固定する。【解決手段】パチンコ機２０は、島設備１０に取り付けられる。パチンコ機２０は、遊技盤２１と、前扉２２と、遊技機本体２３と、軸支機構２４と、本体固定機構２５ａ，２５ｂとからなる。軸支機構２４の本体部５０を島設備１０に固定した後、遊技機本体２３を回転させて、島設備１０の遊技機収納スペース１０ａの内部に遊技機本体２３が収納された状態とする。開口部２３ａを通して遊技機本体２３の内部へアクセスし、本体固定機構２５ａ，２５ｂを作動させて遊技機収納スペース１０ａに遊技機本体２３を固定する。【選択図】図４
2009112394.tif 000002
【特許請求の範囲】
【請求項１】
遊技領域を有する遊技盤と、
この遊技盤を前面から視認可能とする透明窓を有する前面扉と、
前面側に前記遊技盤が着脱自在に取り付けられるとともに、前記前面扉が遊技盤の前方で開閉自在に取り付けられ、制御基板及び貯留タンクが取り付けられる遊技機本体と、
前記遊技機本体の一方の側部及び島設備と連結して前記遊技機本体を前記島設備の遊技機収納スペース内に軸支させる軸支機構と、
前記遊技機本体の他方の側部で、遊技機本体の上下のうち少なくともいずれか一方から突出する突出位置、及び遊技機本体内に収納される収納位置の間で移動自在とし、且つ前記突出位置で遊技機収納スペースの内壁を係止する係止部材、及び前記係止部材を前記突出位置と前記収納位置との間で移動させる操作レバーを有する本体固定機構と、
を備えることを特徴とする遊技機。
【請求項２】
前記遊技機本体は、その前面側から前記遊技盤が収納される開口部を備えるとともに、前記遊技盤の背面側を覆う箱状の筐体であることを特徴とする請求項１記載の遊技機。
【請求項３】
前記前面扉の下方に、遊技球を貯留する受け皿を備え、前記受け皿の下方に遊技球の貯留箱を受ける保持台を有することを特徴とする請求項１又は２記載の遊技機。
【発明の詳細な説明】
【技術分野】
【０００１】
本発明は、パチンコ店などの遊技場に設置される例えばパチンコ機などの遊技機に関するものである。
【背景技術】
【０００２】
パチンコ店などの遊技場の遊技設備は、遊技者が遊技を楽しむための遊技機と、それを設置するためのいわゆる島設備とからなり、複数台の遊技機が島設備に並べられて設置されることが一般的である。このような島設備に設置されるパチンコ機などの遊技機は、アルミ又は木製の外枠を備えていることが一般的である。パチンコ機の外枠には、遊技盤、、制御基板、前扉、操作部など多くの部品が取り付けられており、この外枠を島設備に釘やネジなどで固定することでパチンコ機を容易に設置することができる（例えば特許文献１）。
【特許文献１】特開２００７−２０２８３８号公報
【発明の開示】
【発明が解決しようとする課題】
【０００３】
近年、遊技機には、演出など様々な機能を実行するために必要な機能部品の点数が徐々に増加してきている。これにより、限られた島設備の遊技機収納スペース内に、全ての機能部品を収めることが困難となってきており、特に遊技機を構成する外枠は、遊技機収納スペース内を占める割合が大きく、機能部品を効率良く収納することを妨げていた。また、遊技機全体のコストや交換部品の低減、また環境負荷の点から廃棄部品の量を低減させることが求められてるが、遊技機を構成する外枠は、材料費がかかり、寸法的にも大きく、さらに島設備への固定の際に破損しやすく、リサイクルすることも困難である。よって、遊技機の外枠を無くすことが部品配置の効率化、ローコスト化、及びリサイクル性の向上の点から望まれているが、上述したように、従来の遊技機では、島設備に固定するために外枠を使用する構成となっており、外枠の無い構成は考慮されていない。
【０００４】
また、上述したような外枠を有する遊技機では、前面側は前扉によって覆われているが、背面側は剥き出しとなっており、外枠の背面側から制御基板や、配線が露呈されていることが多い。このように制御基板や配線が露呈する構成では、セキュリティ上の問題、例えば、内部部品の盗難や不正な改造などの問題があった。
【０００５】
本発明は、上記事情を考慮してなされたものであり、遊技機収納スペース内に効率良く機能部品を配置し、さらにリサイクル性及びセキュリティ性を向上させながら、島設備に確実に固定することが可能な遊技機をローコストに提供することを目的とする。
【課題を解決するための手段】
【０００６】
上記目的を達成するために、本発明の遊技機は、遊技領域を有する遊技盤と、この遊技盤を前面から視認可能とする透明窓を有する前面扉と、前面側に前記遊技盤が着脱自在に取り付けられるとともに、前記前面扉が遊技盤の前方で開閉自在に取り付けられ、制御基板及び貯留タンクが取り付けられる遊技機本体と、前記遊技機本体の一方の側部及び島設備と連結して前記遊技機本体を前記島設備の遊技機収納スペース内に軸支させる軸支機構と、前記遊技機本体の他方の側部で、遊技機本体の上下のうち少なくともいずれか一方から突出する突出位置、及び遊技機本体内に収納される収納位置の間で移動自在とし、且つ前記突出位置で遊技機収納スペースの内壁を係止する係止部材、及び前記係止部材を前記突出位置と前記収納位置との間で移動させる操作レバーを有する本体固定機構と、を備えることを特徴とする。
【０００７】
なお、前記遊技機本体は、その前面側から前記遊技盤が収納される開口部を備えるとともに、前記遊技盤の背面側を覆う箱状の筐体であることが好ましい。また、前記前面扉の下方に、遊技球を貯留する受け皿を備え、前記受け皿の下方に遊技球の貯留箱を受ける保持台を有することが好ましい。
【発明の効果】
【０００８】
本発明の遊技機によれば、遊技領域を有する遊技盤と、この遊技盤を前面から視認可能とする透明窓を有する前面扉と、前面側に前記遊技盤が着脱自在に取り付けられるとともに、前記前面扉が遊技盤の前方で開閉自在に取り付けられ、制御基板及び貯留タンクが取り付けられる遊技機本体と、前記遊技機本体の一方の側部及び島設備と連結して前記遊技機本体を前記島設備の遊技機収納スペース内に軸支させる軸支機構と、前記遊技機本体の他方の側部で、遊技機本体の上下のうち少なくともいずれか一方から突出する突出位置、及び遊技機本体内に収納される収納位置の間で移動自在とし、且つ前記突出位置で遊技機収納スペースの内壁を係止する係止部材、及び前記係止部材を前記突出位置と前記収納位置との間で移動させる操作レバーを有する本体固定機構とを備えているので、遊技機収納スペース内に効率良く機能部品を配置し、さらにリサイクル性及びセキュリティ性を向上させながら、島設備に確実に固定することができる。
【発明を実施するための最良の形態】
【０００９】
図１に示すように、遊技場に設けられる遊技設備は、島設備１０と、島設備１０に取り付けたパチンコ機（遊技機）２０とによって構成され、パチンコ機２０は、図２及び図３に示すように、遊技盤２１と、前扉２２と、遊技機本体２３と、軸支機構２４と、本体固定機構２５ａ，２５ｂとからなる。なお、本実施形態においては１つの島設備１０に対して１つのパチンコ機２０が取り付けられる構成を図示しているが、本発明はこれに限らず、１つの島設備１０に複数のパチンコ機が取り付けられる構成にも適用することができる。
【００１０】
遊技盤２１は、パチンコ球が打ち出される遊技領域２１ａを有する。この遊技盤２１には、その略中央に、センター役物２６と呼ばれる構造物が設けられている。このセンター役物２６の略中央からは、図柄表示装置の表示画面２７が露呈されている。このセンター役物２６の周縁部には、障害釘や、風車などの構造物が配設されている。また、この他に、遊技盤２１には、始動チャッカー２８、入賞チャッカー２９等の入賞装置等の構造物が配設されている。なお、これら入賞装置については周知であるので、その詳細については省略する。また、遊技盤２１には、これら入賞装置の他に、アタッカ３１と呼ばれる入賞装置が配設されている。アタッカ３１は、例えば始動チャッカー２８にパチンコ球が入賞したときに行われる移行抽選で大当たりとなる場合に、開閉動作が行われる。なお、符号３２はアウト口である。
【００１１】
前扉２２には、透明窓２２ａが設けられており、この透明窓２２ａを介して遊技盤２１を前面から視認可能となっている。図２に示すように、透明窓２２ａの下部には受け皿３３が設けられており、受け皿３３の下方には、パチンコ球の貯留箱３４を受け止める保持台３５が設けられている。なお、受け皿３３には、球抜き装置が設けられており、受け皿３３に設けられた操作部３３ａ（図１参照）を操作すると、受け皿３３の底部に形成された球抜き孔３３ｂを遮蔽する遮蔽部材３３ｃが移動して、球抜き孔３３ｂを露呈させる。これにより、受け皿３３に貯留されたパチンコ球が球抜き孔３３ｂを通して排出され、保持台３５上の貯留箱３４へ送り込まれる。
【００１２】
また、図１に示すように、前扉２２には発射ハンドル３６が取り付けられており、発射ハンドル３６が回動されると遊技盤２１の遊技領域２１ａへパチンコ球が発射される。入賞口に入らなかった遊技球はアウト口３２から回収される。なお、符号３７は払出し口であり、この払出し口３７を介してパチンコ球が受け皿３３へ払い出される。
【００１３】
さらにまた、前扉２２には、周知のロック装置３８が組み込まれており、前扉２２の前面に露呈する鍵穴３８ａに解錠キーを挿入して回転させることで、前扉２２の他方の端部を遊技機本体２３に固定するロック状態と、前扉２２の固定を解除するアンロック状態とに切り替える。
【００１４】
遊技機本体２３は、図３に示すように、その前面側から遊技盤２１が収納される開口部２３ａを備えるとともに、遊技盤２１の背面側を覆う箱状の筐体となっている。開口部２３ａを通して遊技機本体２３の内部に収納された遊技盤２１は、その一方の端部がヒンジ機構３９を介して遊技機本体２３に着脱自在に取り付けられる。また、図４に示すように、遊技盤２１の他方の端部には、挿通孔２１ｂ、２１ｃが形成されている。この挿通孔２１ｂ、２１ｃには、遊技機本体２３に設けられた固定具４１が挿通される。固定具４１には、つまみ４１ａが設けられており、挿通孔２１ｂ、２１ｃに挿通された固定具４１のつまみ４１ａを９０°回動させると、挿通孔２１ｂ、２１ｃの周囲面とつまみ４１ａが当接する。これによって、遊技盤２１の他方の端部が遊技機本体２３に固定される。なお、遊技盤２１を固定する構成はこれらに限るものではなく、ネジ止めなどにより固定してもよい。また、遊技機本体２３には、メイン制御基板４６ａ、サブ制御基板４６ｂ（図２参照）が内蔵され、上部に貯留タンク４７、下部に排出路４８が取り付けられる。
【００１５】
貯留タンク４７には、島設備１０に設けられた球補給装置（図示せず）から供給されるパチンコ球が貯留される。メイン制御基板４６ａは、パチンコ機２０の作動を統括的に制御する。このメイン制御基板４６ａには、各入賞装置に内蔵された入賞検知センサや払出装置（図示せず）などが接続されており、入賞検知センサが入賞を検知したときに出力される検知信号を受信すると、払出装置を作動させ、貯留タンク４７に貯留されたパチンコ球から予め設定されている個数を賞球として受け皿３３に払い出す。サブ制御基板４６ｂは、図示しないケーブルを介してメイン制御基板４６ａに接続されており、メイン制御基板４６ａから入力された制御信号に応じて、画像表示装置２７やスピーカなどによる演出制御を行う。また、アウト口３２から回収されたパチンコ球は、排出路４８へ送られる。排出路４８は、島設備１０に設けられた球回収装置（図示せず）へパチンコ球を排出する。球回収装置で回収されたパチンコ球は、洗浄された後、球補給装置によって搬送され、貯留タンク４７へ供給される。
【００１６】
島設備１０は、略矩形枠状に形成されており、本実施形態では木製のものが使用される。図２及び図３に示すように、この島設備１０の内側が遊技機収納スペース１０ａであり、遊技機本体２３よりも若干広い寸法を有する。
【００１７】
軸支機構２４は、図３に示すように、遊技機収納スペース１０ａの天地方向の寸法に合わせた本体部５０と、この本体部５０の上下端部に位置する係合軸５１ａ，５１ｂとを備える。係合軸５１ａ，５１ｂは、遊技機本体２３及び前扉２２の一方の側部と結合して前扉２２及び遊技機本体２３を軸支する。この軸支機構２４の本体部５０をネジ止めなどによって遊技機収納スペース１０ａの一方の側面に固定することによって、パチンコ機２０が島設備１０に取り付けられる（図４に示す状態）。
【００１８】
図４に示すように、本体固定機構２５ａ，２５ｂは、遊技機本体２３の他方の側部に設けられており、本実施形態では、遊技機本体２３の上下の位置にそれぞれ配されている。なお、これに限らず、本体固定機構２５ａ，２５ｂは、遊技機本体２３の他方の側部で、上下のうち、少なくともいずれか一方の位置に設けられていればよい。
【００１９】
本体固定機構２５ａは、図５及び図６に示すように、係止部材５３、操作レバー５４、付勢部材５６、及びこれらを支持する支持部材５７とからなる。なお、本体固定機構２５ｂも本体固定機構２５ａと同様の構成であり、同符号を付して説明を省略する。支持部材５７は、略円筒形状に形成され、一回り直径の大きい鍔部５７ａが設けられており、この鍔部５７ａが遊技機本体２３の上端部（本体固定機構２５ｂの場合は、遊技機本体２３の下端部）にネジ止めなどによって固着される。
【００２０】
係止部材５３は、支持部材５７の内周面に沿ってガイドされ、遊技機本体２３の上方へ突出する突出位置（本体固定機構２５ｂの場合は、遊技機本体２３の下方へ突出する突出位置）と、遊技機本体２３の内部に収納される収納位置との間で移動自在となっている。この係止部材５３は、先端部に複数の係止用突起５３ａを有する。この係止用突起５３ａは、遊技機収納スペース１０ａの内壁に刺さるように、頂点角度が鋭角な略円錐状に形成されている。係止部材５３の底部、及び支持部材５７の底部には付勢部材５６が接続されている。この付勢部材５６によって係止部材５３は、収納位置へ付勢されている。また、係止部材５３には、円柱状の係合ピン５３ｂ（図６参照）が一体に設けられている。
【００２１】
操作レバー５４は、係止部材５３の下方に位置し、把持部５４ａ、係合用切り欠き部５４ｂ，５４ｃ（図６参照）が一体に形成されている。この操作レバー５４は、回転軸５８を介して支持部材５７に軸支され、把持部５４ａが下方に位置する第１の位置（図６（Ａ）に示す位置）と、把持部５４ａが上方に位置する第２の位置（図６（Ｂ）に示す位置）との間で回転自在となっている。係合用切り欠き部５４ｂ，５４ｃは、係止部材５３の係合ピン５３ｂに合わせた曲面に形成されており、一方の係合用切り欠き部５４ｂは、他方の係合用切り欠き部５４ｃよりも回転軸５８との距離が近い位置に形成されている。これにより、係止部材５３が収納位置にあるときには、係合ピン５３ｂが係合用切り欠き部５４ｂと係合し、突出位置にあるときは、係合ピン５３ｂが係合用切り欠き部５４ｃと係合するので、係止部材５３は、収納位置及び突出位置でそれぞれ停止する。
【００２２】
把持部５４ａが第１の位置にあるとき、係止部材５３は、付勢部材５６からの付勢、及び係合用切り欠き部５４ｂとの係合により収納位置に停止している（図６（Ａ）に示す状態）。そして、作業者が把持部５４ａを把持して第１の位置から第２の位置に向かって移動させると、操作レバー５４が回転し、係合ピン５３ｂと係合用切り欠き部５４ｂとの係合が外れるとともに、係合ピン５３ｂは操作レバー５４からの押し圧を受け、付勢部材５６の付勢に抗して上方に移動する。そしてさらに操作レバー５４が回転して把持部５４ａが第２の位置まで移動すると、係合用切り欠き部５４ｃが係合ピン５３ｂと係合して、係止部材５３が突出位置に停止する（図６（Ｂ）に示す状態）。
【００２３】
本実施形態のパチンコ機２０の島設備１０への取り付けを行う場合、上述したように、軸支機構２４の本体部５０を島設備１０に固定した後、本体固定機構２５ａ，２５ｂで遊技機本体２３を島設備１０に固定する。この本体固定機構２５ａ，２５ｂによる遊技機本体２３の固定を行うときは、先ず、遊技機本体２３を回転させて、遊技機収納スペース１０ａの内部に遊技機本体２３が収納された状態とする。なお、このとき本体固定機構２５ａ，２５ｂの係止部材５３は収納位置にあり（図６（Ａ）に示す状態）、また前扉２２は開放位置とし、遊技機本体２３の内部は露呈した状態とする。この状態から、作業者が開口部２３ａを通して遊技機本体２３の内部へアクセスし、操作レバー５４を回転させて、係止部材５３を収納位置から突出位置に移動させると、係止部材５３の係止用突起５３ａが遊技機収納スペース１０ａの内壁を係止する（図６（Ｂ）に示す状態）。これにより、遊技機本体２３は、島設備１０の遊技機収納スペース１０ａに固定される。さらに前扉２２を回動させて閉じ位置にし、ロック装置３８をロック状態にするとパチンコ機２０の島設備１０への取り付けが完了する。
【００２４】
以上のようにパチンコ機２０を確実且つ容易に島設備１０に固定することが可能であり、さらに、リサイクル適正が低く、コストが高い部品である取り付け用の外枠が不要な構成であるから、廃棄部品点数を減少させてローコスト化を図ることができる。また、遊技機本体２３は、遊技盤１１が収納される開口部２３ａを備えるとともに、遊技盤１１の背面側を覆う箱状の筐体としているので、制御基板４６ａ，４６ｂや、配線が露呈することが無く、内部部品の盗難や不正な改造などを防ぐことが可能であり、セキュリティ性が向上する。さらにまた、受け皿３３の下方に保持台３５が設けられているので、保持台３５の上に貯留箱３４を載せたまま前扉２２を開放状態とすることが可能であり、遊技機本体２３の内部へアクセスするときに、貯留箱３４の置き場所を考慮する必要が無く、作業を容易に行うことができる。
【図面の簡単な説明】
【００２５】
【図１】本発明のパチンコ機の外観を示す斜視図である。
【図２】島設備に取り付けた状態のパチンコ機の要部断面図である。
【図３】パチンコ機を前扉と、遊技機本体と、軸支機構とに分解して示す斜視図である。
【図４】パチンコ機を島設備へ固定する前の状態を示す斜視図である。
【図５】本体固定機構の構成を示す斜視図である。
【図６】本体固定機構周辺の要部断面図である。
【符号の説明】
【００２６】
１０  島設備
１０ａ  遊技機収納スペース
２０  パチンコ機（遊技機）
２１  遊技盤
２２  前扉
２３  遊技機本体
２４  軸支機構
２５ａ，２５ｂ  本体固定機構
３３  受け皿
３５  保持台
５３  係止部材
５４  操作レバー
【図１】
2009112394.tif 000003
【図２】
2009112394.tif 000004
【図３】
2009112394.tif 000005
【図４】
2009112394.tif 000006
【図５】
2009112394.tif 000007
【図６】
2009112394.tif 000008